(57)【要約】【課題】圧縮された現行の色域よりも広い色域を表現できる画像信号を伝送可能な伝送規格により伝送される番組や映像であることをユーザーに明示可能な画像処理システム及び装置ならびに画像処理方法を提供する。【解決手段】実施形態の画像処理装置は、分離手段と、抽出手段と、判定手段と、再現色域管理手段と、を具備する。分離手段は、取得した画像信号から制御情報を分離する。抽出手段は、分離手段が分離した制御情報から色域情報を抽出する。判定手段は、抽出手段が抽出した色域情報が第一の規格に比較して広い色域を表現可能な第二の規格対応であることの記述を含むことを判定する。再現色域管理手段は、判定手段の判定結果が第二の規格対応である場合、対象の画像信号に対応する情報表示に、第二の規格で製作された画像であることを示す識別情報を表示可能に、判定手段の判定結果を保持する。【選択図】図２
2016048891.tif 000002
【特許請求の範囲】
【請求項１】
第一の再現色域規格よりも広い色域を再現可能な第二の再現色域規格を用いて用意した映像であることを、送信映像信号に多重化する制御情報に所定の記述形式で記述した前記送信映像信号を送信する画像処理システム。
【請求項２】
前記送信映像信号のデータ群に前記所定の記述形式で前記制御情報を多重化する際に、前記送信映像信号中の分配システム、内容、スケジュール／タイミング、等を記述するデータ群であるＳＩ（番組配列情報）に、前記制御情報を多重化する請求項１の画像処理システム。
【請求項３】
前記所定の記述形式で前記制御情報を多重化する前記データ群は、前記ＳＩのうちのＥＩＴ（Event Information Table）であり、その中のデータ構造に用いる記述子の中に前記制御情報を記述する請求項２の画像処理システム。
【請求項４】
取得した画像信号から制御情報を分離する分離手段と、
前記分離手段が分離した前記制御情報から色域情報を抽出する抽出手段と、
前記抽出手段が抽出した前記色域情報が第一の規格に比較して広い色域を表現可能な第二の規格対応であることの記述を含むことを判定する判定手段と、
前記判定手段の判定結果が前記第二の規格対応である場合、対象の画像信号に対応する情報表示に、前記第二の規格で製作された画像であることを示す識別情報を表示可能に、前記判定手段の判定結果を保持する再現色域管理手段と、
を具備する画像処理装置。
【請求項５】
前記抽出部は、前記画像信号から分離する前記制御情報が含むＥＩＴ（Event Information Table）の記述から前記色域情報を抽出する請求項４の画像処理装置。
【請求項６】
前記判定手段は、前記制御情報が含む前記ＥＩＴの記述のうちの短形式イベント記述子の記述に基づいて前記色域情報を判定する請求項４または５の画像処理装置。
【請求項７】
前記判定手段は、前記制御情報が含む前記ＥＩＴの記述のうちの拡張形式イベント記述子の記述に基づいて前記色域情報を判定する請求項４または５の画像処理装置。
【請求項８】
前記判定手段は、前記制御情報が含む前記ＥＩＴの記述のうちの色域情報に関する特定の記述に基づいて前記色域情報を判定する請求項４または５の画像処理装置。
【請求項９】
取得した画像信号から制御情報を分離し、
分離した前記制御情報から色域情報を抽出し、
抽出した色域情報が第一の規格に比較して広い色域を表現可能な第二の規格対応であることの記述を含む場合、対象の画像信号に対応する情報表示に、第二の規格で製作された画像であることを示す識別情報を表示可能に、判定結果を保持する
画像処理方法。
【発明の詳細な説明】
【技術分野】
【０００１】
この発明は、表示映像の表示特性を最適化する画像処理システム及び装置ならびに画像処理方法に関する。
【背景技術】
【０００２】
現行の放送規格や映像のフォーマットは、画像信号を伝送する際に用いる色域が自然界に存在する全ての色を再現可能な色域よりも圧縮されている。
【先行技術文献】
【特許文献】
【０００３】
【特許文献１】特開２００９−１４７４６３号公報
【発明の概要】
【発明が解決しようとする課題】
【０００４】
次世代放送規格あるいは映像のフォーマットにおいては、圧縮された現行の色域に比較してより広い色域を表現できる画像信号を伝送可能な伝送規格の適用が予定されている。
【０００５】
しかしながら、現在のところ、再生画像が現行の伝送規格で伝送された画像信号を再生した画像であるか現行規格の画像信号よりも広い色域を表現できる伝送規格で伝送された画像信号を再生した画像であるか、を、ユーザーに明示する手法は、規定されていない。
【０００６】
このため、再生した画像の色域が番組や再生映像によって異なる場合は、ユーザーに、画像処理システム及び装置になんらかの問題が生じている、という疑問を生じさせる虞がある。
【０００７】
この発明の目的は、圧縮された現行の色域よりも広い色域を表現できる画像信号を伝送可能な伝送規格により伝送される番組や映像であることをユーザーに明示可能な画像処理システム及び装置ならびに画像処理方法を提供することである。
【課題を解決するための手段】
【０００８】
実施形態の画像処理装置は、分離手段と、抽出手段と、判定手段と、再現色域管理手段と、を具備する。分離手段は、取得した画像信号から制御情報を分離する。抽出手段は、前記分離手段が分離した前記制御情報から色域情報を抽出する。判定手段は、前記抽出手段が抽出した前記色域情報が第一の規格に比較して広い色域を表現可能な第二の規格対応であることの記述を含むことを判定する。再現色域管理手段は、前記判定手段の判定結果が前記第二の規格対応である場合、対象の画像信号に対応する情報表示に、前記第二の規格で製作された画像であることを示す識別情報を表示可能に、前記判定手段の判定結果を保持する。
【図面の簡単な説明】
【０００９】
【図１】実施形態に係る画像処理システムの一例を示す。
【図２】実施形態に係る画像処理装置（テレビ装置）の一例を示す。
【図３】実施形態に係る画像処理装置（テレビ装置）の色域情報の判定をソフトウエア的に示す。
【図４】実施形態に係る色域情報から取得した再現色域判定の結果に基づく、表示画像の一例を示す。
【図５】実施形態に係る画像処理装置（テレビ装置）が放送波（番組）から取得する色域情報を含む制御情報のデータ構造の一例を示す。
【図６】実施形態に係る画像処理装置（テレビ装置）が放送波（番組）から取得する色域情報を含む制御情報のデータ構造の一例を示す。
【図７Ａ】実施形態に係る画像処理装置（テレビ装置）が放送波（番組）から取得する色域情報を含む制御情報のデータ構造の一例を示す。
【図７Ｂ】実施形態に係る画像処理装置（テレビ装置）が放送波（番組）から取得する色域情報を含む制御情報のデータ構造の一例を示す。
【発明を実施するための形態】
【００１０】
以下、図面を参照して、本発明の実施の一形態について説明する。
【００１１】
図１は、実施形態に係る画像処理システムの一例を示す。
【００１２】
図１が示す画像処理システムにおいて、画像再生装置（画像処理装置）１は、アンテナＡＮＴを通じて番組供給元である放送局が送信する放送波（地上波及び衛星波）を受信する。また、画像再生装置１は、外部映像供給元、例えばビデオカメラ装置や画像の撮影が可能な携帯可能な端末装置２００１からの画像を取得可能である。その場合、画像の取得は、例えば近距離無線通信方式を用いるものであってもよいし接続用のケーブルを用いる有線伝送方式を用いるものであってもよい。
【００１３】
図１が示す画像処理システムにおいて、画像再生装置１が受信する放送波あるいは外部映像供給元から取得する映像や画像は、図５、他により後段に説明するが、社団法人電波産業会、すなわちＡＲＩＢ（Association of Radio Industries and Businesses）が規定する標準規格に準拠する色域情報を、少なくとも含む。
【００１４】
図２は、実施形態に係る画像再生装置の一例を示す。なお、画像再生装置１は、表示部（ディスプレイ）を一体に有してもよい。また、表示部は、画像再生装置１と非接触で、映像記憶装置が無線方式により送信する番組を表示するものであってもよい。なお、以下に説明する要素や構成は、処理装置すなわちマイクロコンピュータ（ＣＰＵ（Central Processing Unit））によりソフトウエアで実現するものであってもよいしハードウエアで実現するものであってもよい。また、以下の説明において、放送は、空間を伝播する電波として放送事業者（放送局）が提供するもの、あるいはケーブル（光ファイバを含む）網やＩＰ（Internet Protocol）網等のネットワークを通じて配信事業者が配信するもの等、を含む。また、放送は、映像と音声または音楽もしくはその両者を含み、一定時間（放送時間）を単位とするさまざまな番組を、提供する形態を示す。なお、番組は、コンテンツもしくはストリームと呼称する場合もある。また、映像は、動画や静止画、あるいはテキスト（コード化された符号列で示される文字や記号等で表される情報）ならびにその任意の組み合わせを含む。
【００１５】
図２において、画像再生装置（以下、テレビ装置と称する）１は、入力部（チューナ）１１、信号処理部（ＴＳ分離部）１２、映像処理ブロック２１、音声処理ブロック３１及び主制御ブロック５１、等を含む。
【００１６】
入力部１１には、空間波（地上波あるいは衛星波）を用いて提供される放送を受信するアンテナＡＮＴが接続する。入力部１１にはまた、外部映像供給元として、例えばＳＴＢ（Set Top Box）やビデオカメラ装置、等が接続する。なお、ビデオカメラ装置は、画像撮影が可能な携帯可能な端末装置、例えばタブレットＰＣ（Personal Computer）装置、等であってもよい。
【００１７】
入力部１１に入力する放送あるいはビデオカメラ装置等からの外部入力画像は、信号処理部（ＴＳ分離部）１２が、ＴＳ（Transport Stream）すなわち映像信号（ビデオ）及び音声信号（オーディオ）、ならびに制御情報に分離する。なお、制御情報は、例えばＴＳ（ストリーム）の分配規則や内容、スケジュールあるいはタイミング、等を記述したＳＩ（Service Information、番組配列情報）及び番組情報、例えば番組名称や放送日時あるいは放送内容、等の番組に関連する情報を示すＥＩＴ（Event Information Table）を含む。また、ＥＩＴは、対象となる番組の色域情報に関する規格であって番組（画像）の撮影時に用いた規格がＡＲＩＢの標準規格の高精細度テレビジョン方式スタジオ規格に準拠する「ＢＴ．７０９」であるか「ＢＴ．７０９」に比較してより広い色域を表現可能な超高精細度テレビジョン方式スタジオ規格に準拠する「ＢＴ．２０２０」であるか、を示す記述を含む。なお、ＳＩは、ＴＳに含まれる動画やオーディオ、等であるＥＳ（Elementary Stream）が、どのプログラムに属しているかを記述した情報であるＰＳＩ（Program Specific Information）を拡張して、番組情報、等を含めた情報である。また、ビデオカメラ装置が供給する画像については、制御情報として、例えばＥｘｉｆ（Exchangeable Image File Format）及びＤＣＦ（Design rule for Camera File system）が付属する。
【００１８】
映像信号（ビデオ）は、映像処理ブロック２１の映像デコーダ２２がデコードし、デジタル映像信号（ビデオ出力）として出力する。
【００１９】
映像処理ブロック２１及び音声処理ブロック３１には、それぞれ、ディスプレイ２６及びスピーカ３６が接続する。
【００２０】
映像処理ブロック２１は、映像（ビデオ）デコーダ２２、映像（ビデオ）処理部２３、
ＯＳＤ（On Screen Display）処理部２４及び表示制御部２５、等を含む。
【００２１】
映像処理部２３は、映像デコーダ２２がデコードしたデジタル映像信号をディスプレイ２６が表示可能な所定の解像度及び出力方式に変換する。表示制御部２５は、映像処理部２３が変換した映像信号を、ディスプレイ２６における好適な表示（映像再生）が可能な表示駆動信号に変換する。表示制御部２５はまた、ＯＳＤ処理部２４からのＯＳＤ（On Screen Display）信号と表示駆動信号とを合成する。なお、表示制御部２５の出力は、例えば外部に接続する外部モニタ装置あるいは投影装置（プロジェクタ装置）等が接続可能な出力端２７に出力されてもよい。
【００２２】
音声処理ブロック３１は、音声（オーディオ）デコーダ３２、音声（オーディオ）処理部３３、遅延部３４及びＤ−Ａ（Digital to Analog）コンバータ３５、等を含む。
【００２３】
音声信号（オーディオ）については、音声処理部３３において音声デコーダ３２がデコードした音声信号を、スピーカ３６による好適な再生が可能な所定の形式に変換する。Ｄ−Ａコンバータ３５は、音声処理部３３が変換した音声信号を、アナログ音声出力信号に変換する。これにより、Ｄ−Ａコンバータ３５にスピーカ３６を接続した場合に、スピーカ３６が可聴音（アナログ音声（オーディオ）出力）を出力する。なお、Ｄ−Ａコンバータ３５の出力は、例えばＡＶ（Audio Visual）アンプ等が接続可能な出力端３７に分岐してもよい。また、Ｄ−Ａコンバータ３５に入力する音声信号は、コンテンツの種類に対応して、遅延部３４による所定量（時間）の遅延が制御される。例えばコンテンツがゲームである場合、遅延部３４が規定する遅延（時間）の大きさ（長さ）は、放送信号（番組）を再生する場合に適用する遅延（時間）の大きさ（長さ）よりも小さい（短い）。
【００２４】
操作部６１は、ユーザーによる直接操作に対応する制御コマンドを主制御ブロック５１に入力する。
【００２５】
受信部６２は、リモコン端末（リモートコントローラ）７１による指示（操作入力）に対応するコマンドを主制御ブロック５１に入力する。
【００２６】
通信インタフェース６３は、例えばＷｉＦｉ（Wireless Fidelity）規格等に準拠する近距離無線通信機器との間の無線通信を実現する。なお、近距離無線通信規格としては、例えばBluetooth（登録商標）規格やＮＦＣ（Near Field Communication）等も利用可能である。通信インタフェース６３はまた、有線方式／無線方式のいずれであってもよく、例えばワイヤレスキーボードやマウス等との間の信号の受け渡しが可能な通信ユニット、等が接続する。また、通信インタフェース６３は、例えば非接触のカード媒体との間の通信が可能なカードリーダ８１、等との間の通信も可能である。
【００２７】
ネットワーク制御部６４は、例えば外部ネットワーク（インターネット網（ネットワーク１００１）からのさまざまな情報の取得及び送信、インターネット網（ネットワーク１００１）へのアクセス、等を制御する。
【００２８】
ＵＳＢインタフェース６５は、例えばＵＳＢ規格に準拠する外部装置、例えばキーボード等の利用を可能とする。
【００２９】
ＨＤＭＩ制御部６６は、ＨＭＤＩ規格またはＭＨＬ規格を利用する機器相互間の有線通信を可能とする。
【００３０】
ＨＤＤ６７は、受信（取得）したコンテンツを記憶する。なお、ＨＤＤ６７が保持する映像信号や音声信号等は、ネットワーク制御部６４を経由して、他の機器あるいはネットワーク１００１（サービスサーバ２０１、・・・、Ｎ０１）に出力することが可能である。また、ネットワーク制御部６４を経由して入力する他の機器からの映像信号や音声信号等は、ＨＤＤ６７が保持することなく、ディスプレイ２６やスピーカ３６においてそのまま再生することも可能である。
【００３１】
主制御ブロック５１は、例えばＣＰＵ（主処理回路）５２、ＣＰＵ５２が実行する制御プログラムを保持するＲＯＭ（読出専用メモリ）５３、ＣＰＵ５２に作業エリアを提供するＲＡＭ（ランダムアクセスメモリ（ワークメモリ））５４、各種の設定情報及び制御情報等を保持するＮＶＭ（不揮発性（書き換え可能）メモリ）５５、再現色域判定部５６、等を含む。主制御ブロック５１にはまた、操作部６１、受信部６２、通信インタフェース６３、ネットワーク制御部６４、ＵＳＢ（Universal Serial Bus）インタフェース６５、ＨＤＭＩ（（登録商標）High-definition Digital Media Interface）制御部６６、ＨＤＤ（Hard Disk Drive）６７、等が接続する。
【００３２】
主制御ブロック５１は、ＣＰＵ５２により、操作部６１からの操作情報（制御入力）や受信部６２が受信するリモコン７１からの操作情報（制御入力）に基づいて、上述の各部要素を制御する。
【００３３】
また、主制御ブロック５１は、映像デコーダ２２及び音声デコーダ３２が出力する映像信号や音声信号等を、ユーザーの操作（制御入力）に基づいて、ＨＤＤ６７に記録することが可能である。ＨＤＤ６７への映像信号や音声信号等の記録に際しては、主制御ブロック５１は、映像信号や音声信号等を暗号化処理し、所定の記録フォーマットに変換する。主制御ブロック５１は、ユーザーによるリモコン７１等からの操作（指示入力）に基づいて、ＨＤＤ６７から所望の映像信号や音声信号等を読み出し、復号し、映像デコーダ２２及び音声デコーダ３２に供給して、映像表示や音声再生を実行する。
【００３４】
主制御ブロック５１はまた、ＮＶＭ５５もしくはＲＯＭ５３が保持するプログラムまたはアプリケーションあるいはＣＰＵ５２のファームウェアにより、信号処理部（ＴＳ分離部）１２が分離するＴＳから字幕情報（ニュース番組においてアンカー（アナウンサ）が発声した音声を字幕化した生字幕を含む）やＥＰＧ（電子番組表）情報を、取得できる。
【００３５】
また、主制御ブロック５１は、信号処理部１２が分離する制御情報のうちのＳＩ（番組配列情報）が含む番組情報のうちのＥＩＴから、対象となる画像信号の色域情報に関する規格であって番組（画像）の撮影時に用いた規格が、例えばＨＤＴＶ（ハイビジョン）規格に対応する第一の規格すなわちＡＲＩＢの「ＢＴ．７０９」であるか、例えばＵＨＤＴＶ（ウルトラハイビジョン）規格に対応する第二の規格すなわち「ＢＴ．７０９」に比較してより広い色域を表現可能な超高精細度スタジオ規格に準拠する「ＢＴ．２０２０」であるか、を抽出し、再現色域判定部５６に通知する。なお、ＳＩ内のＥＩＴの記述の例（主制御ブロック５１がＥＩＴのどの記述を参照するか）については後段に説明する。また、画像供給元がビデオカメラ装置（外部入力）である場合には、色域情報は、例えば制御情報のうちの上述のＤＣＦ及びＥｘｉｆから取得可能である。
【００３６】
再現色域判定部５６は、ディスプレイ２６の色再現能力（表示能力）に基づいて、第一の規格（「ＢＴ．７０９」）に基づく色域再現もしくは第二の規格（「ＢＴ．２０２０」）に基づく色域再現を、表示制御部２５及びＣＰＵ５２に指示する。
【００３７】
主制御ブロック５１はまた、再現色域判定部５６が判定した再現色域に関する情報を、テレビ装置（画像処理装置）１のディスプレイ２６がオンされている間、もしくは出力端２７に映像信号が出力されている間、例えばＲＡＭ５４に格納する。すなわち、テレビ装置１において、例えばユーザーによるリモコン端末（リモートコントローラ）７１からの指示入力として番組表（もしくは見るナビ画面）の表示が要求された場合に、再現色域が「広色域」であることを、番組表（もしくは見るナビ画面）が表示する番組（画像）毎に表示可能に、再現色域判定部５６が判定した再現色域に関する情報をＲＡＭ５４において保持する。従い、取得した色域情報に関する情報は、テレビ装置（画像処理装置）１の主電源がオンされている間、番組表（もしくは見るナビ画面）の対象の番組に対する表示に表示可能（追加表示可能）に、主制御ブロック５１（ＲＡＭ５４）において保持する。また、番組表（もしくは見るナビ画面）の表示が（ユーザー操作により）要求された場合、表示する時間帯の番組（もしくは見るナビ画面が表示する画像）に１つ以上の「広色域」の再現色域を有する番組（画像）が存在する場合、例えば図４により後段に一例を示す、再現色域が現行のＴＶ規格で放送される番組に比較して広い広色域放送が採用されていることを示すマーク（画像）あるいは文字列もしくはその両者を再生映像（番組表もしくは見るナビ画面の表示映像）に合成した画像信号を、ＯＳＤ処理部２４及び表示制御部２５を通じて、ディスプレイ２６（表示部）が表示可能に、もしくは出力端２７と接続する表示装置が表示可能に、出力する。
【００３８】
図３は、図２が示す再現色域判定部に供給する色域情報の判定について、ソフトウエア的に示す。
【００３９】
信号処理部１２は、取得（受信）した画像信号から制御情報を分離する［３０１］。
【００４０】
分離した制御情報から色域情報を抽出する［３０２］。
【００４１】
抽出した色域情報が、第一の規格（「ＢＴ．７０９」）対応であることを記述しているか、第一の規格に比較してより広い色域を表現可能な第二の規格（「ＢＴ．２０２０」）対応であることを記述しているか、を判定する［３０３］。
【００４２】
抽出した色域情報が、第二の規格「ＢＴ．２０２０」に対応している場合［３０３−ＹＥＳ］、番組表または再生ナビ画面を表示する際に、該当の番組（画像）に対応する表示に「超高精細度（ＵＨＤＴＶ）」規格で撮影された番組（画像）であることを示す識別子（アイコン、記号もしくは文字列）を（同時に）表示するために、制御コードを用意し、所定の記憶領域、例えばＲＡＭ５４内に記憶する（予め「フラグ」が用意されている場合「フラグ」をオンする）［３０４］。なお、色域情報がＨＤＴＶに従う第一の規格「ＢＴ．７０９」に対応していることを示している場合には終了となる［３０３−ＮＯ］。
【００４３】
図４は、色域情報から取得した再現色域判定の結果に基づく、表示画像の一例を示す。なお、図４が示す表示画像は、表示制御部が出力する画像出力に対応する表示画像をディスプレイが表示する表示例であり、画像再生装置（画像処理装置）１としては、画像出力を出力する、あるいはその画像出力を出力可能な画像信号を生成することができる場合を含む。
【００４４】
図４においては、Ｅ放送局（Ｅチャンネル）の午後６時から３０分の番組Ｅ０１、同午後９時から１時間の番組Ｅ０４、及びＡ放送局（Ａチャンネル）の午後６時５８分から午後８時３０分の番組Ａ０２のそれぞれを示す番組表４０１の表示内に、マーク４１１が、表示される。マーク４１１は、再現色域が現行のＴＶ規格で放送される番組に比較して広い広色域放送が採用されていることを示す。なお、マークの表示に換えて、例えば『広色域放送』あるいは『２０２０』等の文字列が表示されてもよいし、マークと文字列が併用されてもよい。また、マーク４１１は、例えばＲ（赤）、Ｇ（緑）、Ｂ（青）の３原色を配列する、等、視覚的に色域を連想させるものであってもよい。
【００４５】
図５に、画像再生装置（テレビ装置）１が放送波（番組）から取得するＥＩＴのデータ構造を示す。
【００４６】
図５が示すＥＩＴの構造は、ＡＲＩＢが規定する標準規格の『ＡＲＩＢ＿ＳＴＤ−Ｂ１０「デジタル放送に使用する番組配列情報」５．１版（２０１２．０９．２５改定）』に準じている。しかしながら、ＥＩＴにおいては、色域情報として、第一の規格（「ＢＴ．７０９」）により製作された番組であるか、第一の規格に比較してより再現可能な色域が広い第二の規格（「ＢＴ．２０２０」）により製作された番組であるか、を識別することは考慮されていない。
【００４７】
従って、番組が「ＢＴ．２０２０」（第二の規格）で製作されたか、「ＢＴ．７０９」（第一の規格）で製作されたかを、受信機（テレビ装置１）側において識別可能に、ＳＩ情報のうちのＥＩＴのテーブルに記述することにより、テレビ装置１（受信機）において色域情報を取得（抽出）可能となる。
【００４８】
ＥＩＴは、番組名称や放送日時あるいは放送内容、等の番組に関する情報を受信機器に伝達可能である。また、ＥＩＴのデータ構造としては、異なる記述子を使うことで異なる種類のイベント情報の伝送が可能な、情報を多重化できる記述子領域１０１を、ＣＲＣ＿３２（ＣＲＣ）の前側に有する（ＣＲＣがテーブル毎の最終フィールドになる）。なお、ＥＩＴの記述子領域１０１にイベント情報を記述可能に規定された複数種類の記述子が、予めＡＲＩＢによって、準備されている。また、記述子領域１０１に記述可能な記述子であって、ＥＩＴに必須とされる番組名と番組の簡単な説明の記述を行える短形式イベント記述子と、短形式イベント記述子に付属可能な番組に関する詳細情報の記述を行える拡張形式イベント記述子は、番組毎の情報すなわち色域情報の記述に好適である。
【００４９】
図６は、短形式イベント記述子（Short_event_descriptor）とそのデータ構造を示す。
【００５０】
以下に、記述子（Short_event_descriptor）の中身を説明する。
【００５１】
・descriptor_tag（記述子タグ）
：各記述子を識別する。ISO/IEC 13818-1に記載。
【００５２】
・descriptor_length（記述子長）
：直後に続く記述子長のデータ部分の全バイト長を規定。
【００５３】
・ISO_639_language_code（言語コード）
：後続の文字情報フィールドの言語をアルファベット３文字コードで表す。
【００５４】
・event_name_length（番組長名）
：後続の番組名のバイト長を表す。
【００５５】
・event_name_char（番組名）
：番組名を表す。
【００５６】
・text_length（番組記述長）
：後続の番組記述のバイト長を表す。
【００５７】
・text_char（番組記述）
：番組の説明を記述する。
【００５８】
実際の色域情報の記述の例としては、短形式イベント記述子のデータ構造のうち、番組記述部である‘ｔｅｘｔ＿ｃｈａｒ’の箇所に、広色域「ＢＴ．２０２０」を示す文字列（例えば、ＢＴ．２０２０、等）を多重化（記述）する。これにより、テレビ装置１（受信機）に、現在の番組が広色域で製作された番組コンテンツであることを知らしめることを可能とする。但し、短形式イベント記述子に色域情報の記述を多重化する場合は、短形式イベント記述子がＥＩＴに必須に用意される記述子であることから「番組の内容の記述」と、「広色域であるメッセージ」と、を明確に区別する取り決めを考慮することが必要になる。
【００５９】
図７Ａ及び図７Ｂは、拡張形式イベント記述子（Extended_event_descriptor）とそのデータ構造を示す。
【００６０】
以下に、記述子（Extended_event_descriptor）の中身を説明する。
【００６１】
・descriptor_tag（記述子タグ）
：各記述子を識別する。ISO/IEC 13818-1に記載。
【００６２】
・descriptor_length（記述子長）
：直後に続く記述子長のデータ部分の全バイト長を規定。
【００６３】
・descriptor_number（記述子番号）
：一つの記述子に入りきらない情報を関係付ける記述子番号。
【００６４】
・last_descriptor_number（最終記述子番号）
：関連付けられた記述子セットの最終拡張形式イベント記述子の番号を示す。
【００６５】
・ISO_639_language_code（言語コード）
：後続の文字情報フィールドの言語をアルファベット３文字コードで表す。
【００６６】
・length_of_items（項目長）
：後続の項目のバイト長を示す。
【００６７】
・item_description_length（項目名長）
：項目名のバイト長を示す。
【００６８】
・item_ description_char（項目名）
：項目名の文字記述を規定する。
【００６９】
・item_length（項目記述長）
：項目記述のバイト長を示す。
【００７０】
・item_char（項目記述）
：項目の文字記述を規定する。
【００７１】
・text_length（拡張記述長）
：項目無しの拡張記述のバイト長を示す。
【００７２】
・text_char（拡張記述）
：項目無しの文字記述を規定する。
【００７３】
実際の色域情報の記述の例としては、拡張式イベント記述子のデータ構造のうち、項目記述部である‘ｉｔｅｍ＿ｃｈａｒ’部もしくは拡張記述部である‘ｔｅｔｘ＿ｃｈａｒ’部に、広色域「ＢＴ．２０２０」を示す文字列（例えば、ＢＴ．２０２０、等）を多重化（記述）する。これにより、テレビ装置１（受信機）側に、現在の番組が広色域で製作された番組コンテンツであることを知らしめることを可能とする。なお、拡張式イベント記述子は、任意に、短形式イベント記述子に付属することができ、図６により説明した短形式イベント記述子に広色域情報を多重化する例とは異なり、同一箇所に番組内容と広色域のメッセージとを記述することはない。従って、「番組内容記述」と「広色域であるメッセージ」とを明確に区別することが可能である。
【００７４】
なお、図６が示す短形式イベント記述子あるいは図７Ａ、図７Ｂが示す拡張式イベント記述子とは独立に、色域情報として新規に用意する記述子を用いることも可能である。
【００７５】
このように、放送データストリーム（番組）から分離する分配システム、内容、スケジュール／タイミング、等を記述するＳＩ（番組配列情報）に、対象となる画像信号が現行のＨＤＴＶ規格に対応する「ＢＴ．７０９」で撮影（製作）された映像であるか、超高精細度テレビジョン方式すなわちＵＨＤＴＶ規格に対応する「ＢＴ．２０２０」で撮影（製作）された映像であるか、を示す番組情報を、送信側では、色域情報として多重化させ、受信側では、番組（コンテンツ）のオリジナルの色域情報を受信信号から分離し、テレビ番組表などの情報表示機能に、広色域のＢＴ．２０２０で製作されたことを示すアイコンや識別表示、等により表示して、ユーザーに知らしめる。これにより、ユーザーは、番組を視聴した際に、視聴している番組が「広色域」で撮影されたものなのか、最適な色再現処理が設定されているのか、等を認識しながら、映像（番組）を楽しむことができる。
【００７６】
すなわち、受信側（テレビ装置）において、送信側で多重化させた「広色域で製作（撮影）された映像であることを示すメッセージ」を解析し、対象となる番組が、「広色域で製作（撮影）された映像であることを認識した場合、番組表（あるいは見るナビ画面）が表示する番組（画像）毎に、『広色域』で製作（撮影）された映像であることを示すアイコンや識別メッセージを、表示する。これにより、ユーザーは、ユーザーが現在視聴している番組（画像）が、例えば放送局側、あるいはビデオカメラ装置において、「広色域」で製作（撮影）した番組（画像）であることを、番組単位で、認識可能となる。従って、視聴する番組（画像）の再現色域（色味／色合い／鮮やかさ、等）が番組（画像）単位で異なる場合であってもその理由を理解することができ、より番組（画像）を楽しむことができる。
【００７７】
また、４Ｋ（３８４０×２１６０）放送を含む次世代放送規格において適用される再現色域の１つである「ＢＴ．２０２０」（ＡＲＩＢ）に対応する色域の画像（番組）を再生可能なテレビ装置（受信側）あるいは再現可能な色域が原稿のＨＤＴＶ規格である「ＢＴ．７０９」に準拠する色域よりも広い色域を表現（再生）可能なディスプレイを採用した表示装置（モニター装置／テレビ装置）においては、「ＢＴ．２０２０」規格を使用して画像信号（番組）を伝送することで、広い色域の画像表示が可能となり、色鮮やかな画像（番組）を楽しむことができる。
【００７８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７９】
なお、実施形態は、以下の記載の内容により実施できる。
【００８０】
実施形態の１つは、広色域を表現可能な映像コンテンツを伝送できるＡＲＩＢ「ＢＴ．２０２０」規格に対応する画像処理システムにおいて、送信側では、放送データストリームの分配システム、内容、スケジュール／タイミング、等を記述するデータ群であるＳＩ（番組配列情報）に、映像コンテンツが、どの規格で撮影された映像（画像）であるか、例えば「ＢＴ．２０２０」で製作（撮影）されたことを示す色域情報を多重化させる画像処理システム、である。
【００８１】
また、実施形態の１つは、色域情報を多重化させるデータ群の記述場所（データ多重化部分）は、デジタル放送規格の番組配列情報に使用されるテーブルのうちの番組に関する情報を示すＥＩＴ（Event Information Table）であり、その中のデータ構造に用いる記述子の中で記述する画像処理システム、である。
【００８２】
さらに、実施形態の１つは、ＥＩＴのデータ構造にある記述子は、ＡＲＩＢ（社団法人電波産業会）により規格化されているＥＩＴにおいて、利用可能な記述子であって、短形式イベント記述子もしくは拡張形式イベント記述子あるいは色域情報として追加した記述子である画像処理システム、である。
【００８３】
さらに、実施形態の１つは、現行の第一の規格に基づく再現色域に比較して広い色域である広色域を表現可能な映像コンテンツを伝送できる第二の規格において、映像コンテンツの受信信号から分離した色域情報に基づく再現色域を表示可能な情報を、番組表が代表する情報表示機能に、映像コンテンツ毎に表示することができる画像処理装置、である。
【符号の説明】
【００８４】
１…画像処理装置（テレビ装置）、１１…入力部、１２…信号処理部、２１…映像処理ブロック、２３…映像処理部、２４…ＯＳＤ処理部、２５…表示制御部、２６…ディスプレイ（表示部）、３１…音声処理ブロック、５１…主制御ブロック、５２…ＣＰＵ、５４…ＲＡＭ（色域情報保持部）、５６…再現色域判定部、１０１…記述部
【図１】
2016048891.tif 000003
【図２】
2016048891.tif 000004
【図３】
2016048891.tif 000005
【図４】
2016048891.tif 000006
【図５】
2016048891.tif 000007
【図６】
2016048891.tif 000008
【図７Ａ】
2016048891.tif 000009
【図７Ｂ】
2016048891.tif 000010